(57)【要約】【課題】パンツについて、脚を上げたり開脚したりする運動をしやすくする。【解決手段】パンツ１０の前身頃１１と後身頃１２の間に、股下を通って左右の脚部の内側面に跨って配置される単一の細長い股身頃１３を介在させる。股身頃１３の長さを調整することで、股下に余裕を持たせることが可能であり、その結果、パンツ１０が引きつれることがなく開脚運動等が容易となる。【選択図】図１
0003173554.tif 000002
【実用新案登録請求の範囲】
【請求項１】
上半部が腹部１１ａとなり下半部が正面脚部１１ｂとなる左右一対の前身頃１１と、
上半部が臀部１２ａとなり下半部が背面脚部１２ｂとなる左右一対の後身頃１２と、
前記前身頃１１と後身頃１２の間にあって股下を通って左右の脚部の内側面に跨って配置される単一の細長い股身頃１３と、を縫い合わせて形成されているパンツ。
【請求項２】
前記股身頃１３の長さ方向の中間部にダーツ１３ａが形成されている請求項１に記載のパンツ。
【考案の詳細な説明】
【技術分野】
【０００１】
本考案は、パンツに関する。
【背景技術】
【０００２】
図３および図４に示すように、従来の汎用されているパンツ２０（以下、本明細書では、脚衣の総称を意味する）は、上半部が腹部２１ａとなり下半部が正面脚部２１ｂとなる左右一対の前身頃２１、上半部が臀部２２ａとなり下半部が背面脚部２２ｂとなる左右一対の後身頃２２を縫い合わせ、場合によりさらに前身頃２１および後身頃２２の上端全周に腰回り部となるウェストベルト２４（ヨーク２４ａを含む）を縫い合わせることで形成されている（特許文献１参照）。
【０００３】
この種のパンツ２０は、股下部分が前身頃２１と後身頃２２の脚部２１ｂ、２２ｂ同士を縫い合わせているに過ぎず、余裕がないため、脚を上げたり、開脚運動したりしようとすると、引きつってしまい運動がしにくい問題があった。
【先行技術文献】
【特許文献】
【０００４】
【特許文献１】特開２００８‐２６６８３９号公報
【考案の概要】
【考案が解決しようとする課題】
【０００５】
そこで本考案の解決すべき課題は、パンツについて、脚を上げたり開脚したりする運動をしやすくすることである。
【課題を解決するための手段】
【０００６】
上記した課題を解決するため、本考案のパンツを、上半部が腹部となり下半部が正面脚部となる左右一対の前身頃と、上半部が臀部となり下半部が背面脚部となる左右一対の後身頃と、前記前身頃と後身頃の間にあって股下を通って左右の脚部の内側面に跨って配置される単一の細長い股身頃と、を縫い合わせて形成したのである。
なお、パンツを構成するパーツは以上のものに限定されず、たとえば、左右一対の前身頃及び左右一対の後身頃の上端全周に腰回り部を構成するウェストベルトを縫い付けてもよい。
【０００７】
また本考案のパンツは、股身頃の長さ方向の中間部にダーツが形成されているのが好ましい。
【考案の効果】
【０００８】
股身頃の長さを調整することで、股下に余裕を持たせることが可能であり、その結果、パンツが引きつれることがなく開脚運動等が容易となる。
【０００９】
股身頃の股間部に相当する箇所にダーツを設けて、過剰に余った部分を摘んでおくと、股下がだぶつくことがなく、体裁がよい。
【図面の簡単な説明】
【００１０】
【図１】実施形態のパンツの斜視図
【図２】実施形態のパンツの展開図
【図３】従来のパンツの斜視図
【図４】従来のパンツの展開図
【考案を実施するための形態】
【００１１】
以下、図面を参照しつつ本考案の実施形態について説明する。
図１および図２に示す実施形態のパンツ１０は、股下の特殊な構造により、開脚運動等がしやすく、引きつれが生じにくいものとなっている。
【００１２】
このパンツ１０は、略多角形の布片からなる複数のパーツ、すなわち、正面を構成する左右一対の前身頃１１、背面を構成する左右一対の後身頃１２、左右の前身頃１１と後身頃１２の間に介在する単一の股身頃１３、腰回りを構成する単一のウェストベルト１４（ヨーク１４ａを含む）、を縫い合わせることで構成される。
なお、以下、布片の生地の種類、縫い糸の種類、ボタンなどの付属品の有無や種類については、特に限定されないものとする。
【００１３】
各前身頃１１は、その上半部が腹部１１ａに相当する箇所となり、その下半部が正面脚部１１ｂに相当する箇所となっている。前身頃１１の腹部１１ａには、フロントポケット１１ｃが形成されている。
また各後身頃１２は、その上半部が臀部１２ａに相当する箇所となり、その下半部が背面脚部１２ｂに相当する箇所となっている。後身頃１２の臀部には、バックポケット１２ｃが形成されている。さらにこの例では、女性用のパンツを示しており、ヒップダーツ１２ｄが形成されて臀部が摘まれ、ヒップラインが綺麗に見えるようになっている。
なお、フロントポケット１１ｃ、バックポケット１２ｃ、ヒップダーツ１２ｄは省略可能であり、逆に数を増やしたり位置を変更したりすることができる。
また、両脚部１１ｂ、１２ｂの長さも図示のロングパンツ状のものに限定されず、ショートパンツ状のものとしてもよい。
【００１４】
これら前身頃１１と後身頃１２の基本的構成は、従来のパンツと変わりないが、実施形態のパンツでは、図１および図２のように、その後身頃１２の背面脚部１２ｂの幅が従来よりも狭く形成されている。
また、これとは逆に前身頃１１の正面脚部１１ｂの幅を従来よりも狭く形成してもよく、要は前後身頃１１、１２のいずれか一方の脚部１１ｂ、１２ｂの幅が後述の股身頃１３の幅分だけ狭くなっていれば足りる。
【００１５】
さらに左右一対の後身頃１２同士は、臀部１２ａの辺が互いに縫い合わせられている。
左右一対の前身頃１１同士は、腹部１１ａの辺が互いに縫い合わされておらず、スライドファスナ等により着脱可能となっている。
また隣接する前身頃１１の腹部１１ａと後身頃１２の臀部１２ａ、すなわち上半部同士も縫い合わされている。
これにより、パンツ１０の上半部は、前身頃１１同士が係着した状態で、ほぼ円筒形をなしている。
【００１６】
また隣接する前身頃１１の正面脚部１１ｂの外側面側の辺と、後身頃１２の背面脚部１２ｂの外側面側の辺も縫い合わされている。
いっぽう隣接する前身頃１１の正面脚部１１ｂの内側面側の辺と後身頃１２の背面脚部１２ｂの内側面側の辺とは直接縫い合わされておらず、その間には、細長い股身頃１３が左右に跨って介在し、縫い合わせられている。
股身頃１３は、短冊状をなしており、パンツ１０の左右一方の脚部の内側面から股下を通って左右他方の脚部の内側面へと至っている。
ここで股身頃１３の長さは、従来の脚部が前後の身頃のみからなるパンツの股下部分の丈（の２倍）よりも若干大きく形成されているものとする。
【００１７】
さらに股身頃１３の長さ方向の中間部、すなわち股下部には、クロッチダーツ１３ａが施されて、余剰長さが摘まれている。
ここで、股身頃１３の右脚部の内側面を形成する箇所と、左脚部の内側面を形成する箇所のなす角度は、クロッチダーツ１３ａの取り方によって、任意に調整可能であり、原則的には、クロッチダーツ１３ａを少なく取る場合には角度も小さくなり、多く取る場合には角度も大きくなる。
なおクロッチダーツ１３ａについては、縫製作業の簡略化等のために、省略することも可能である。
【００１８】
さらに左右の前身頃１１の腹部１１ａの上端には、腰回り部を構成するウェストベルト１４の全周のうち前半部が縫い付けられている。
また左右の後身頃１２の臀部１２ａの上端には、この例では臀部１２ａが比較的大きな着用者のパンツ１０であるため、マチとして作用するヨーク１４ａを介して、ウェストベルト１４の全周のうち後半部が縫い付けられている。
ウェストベルト１４の両端部は、ボタンなどにより着脱可能となっており、円環形の状態から円環が開いた状態へと開閉可能である。
ここでウェストベルト１４については省略可能であり、またウェストベルト１４が存在する場合でも、ヨーク１４ａを省略可能である。
【００１９】
実施形態のパンツ１０の構成は以上のようであり、股身頃１３の長さを調整することで、パンツの股下部分に余裕を持たせることができるため、開脚運動等を容易に行うことができる。
また股下の過剰に余った箇所はクロッチダーツ１３ａにより摘んであるため、股下がだぶつくことがなく、見た目が綺麗である。
【００２０】
今回開示された実施形態はすべての点で例示であって制限的なものではないと考慮されるべきである。本考案の範囲は実用新案登録請求の範囲によって示され、その範囲内でのすべての修正と変形を含むものであることが意図される。
たとえば、各身頃１１、１２、１３の形状については、男性用、女性用、細身用、太目用等に応じて適宜改変可能なものとする。また、パンツの種類についても、チノパンタイプ、ジーンズタイプなど特に限定されることはない。
【符号の説明】
【００２１】
１０  実施形態のパンツ
１１  前身頃
１１ａ  腹部
１１ｂ  正面脚部
１１ｃ  フロントポケット
１２  後身頃
１２ａ  臀部
１２ｂ  背面脚部
１２ｃ  バックポケット
１２ｄ  ヒップダーツ
１３  股身頃
１３ａ  クロッチダーツ
１４  ウェストベルト
１４ａ  ヨーク
２０  従来のパンツ
２１  前身頃
２１ａ  腹部
２１ｂ  正面脚部
２２  後身頃
２２ａ  臀部
２２ｂ  背面脚部
２４  ウェストベルト
２４ａ  ヨーク
【図１】
0003173554.tif 000003
【図２】
0003173554.tif 000004
【図３】
0003173554.tif 000005
【図４】
0003173554.tif 000006